(57)【要約】【課題】業務終了時に余り紙幣の発生を防止すること。【解決手段】サーバは、ネットワークを介してアンラッピング装置、紙幣処理装置、およびラッピング装置を管理する。サーバは、正券と判定された正券枚数を取得し、包装束に含まれる正券枚数を予測し、取得した正券枚数と、予測した正券枚数と、包装束に含まれる紙幣数とに基づいて、正券を余すことなく所定数の包装束を作成するためにアンラッピング装置に取り込む包装束数を算出し、その算出した包装束数を表示する。【選択図】図７
2019204252.tif 000002
【特許請求の範囲】
【請求項１】
紙幣処理管理サーバの表示方法であって、
前記紙幣処理管理サーバは、所定数の紙幣が含まれる包装束を取込む取込み装置と、前記取込み装置が取り込んだ前記包装束内の紙幣が正券であるか否かを判定する紙幣処理装置と、前記正券と判定された紙幣から前記包装束を作成する作成装置とを管理するものであり、
前記紙幣処理管理サーバは、
前記正券と判定された正券枚数を取得し、
前記包装束に含まれる正券枚数を予測し、
前記取得した正券枚数と、前記予測した正券枚数と、前記包装束に含まれる紙幣数とに基づいて、前記正券を余すことなく所定数の前記包装束を作成するために前記取込み装置に取り込む包装束数を算出し、
算出した前記包装束数を表示する、
紙幣処理管理サーバの表示方法。
【請求項２】
所定の表示指示を受けたとき、又は、予め定められたタイミングで前記包装束数を表示する処理を実行する、
請求項１に記載の紙幣処理管理サーバの表示方法。
【請求項３】
前記正券枚数の予測は、
過去の前記取込み装置に取り込んだ紙幣数と、当該紙幣の正券枚数との比率から予測する、
請求項１に記載の紙幣処理管理サーバの表示方法。
【請求項４】
前記算出した包装束数を処理する時間が予め設定された業務時間外であるか否かを判定し、
前記業務終了時間外であると判定した場合、前記算出した包装束数にかえて、又は、前記算出した包装束数と共に、業務終了が業務終了時間外となる旨を表示する、
請求項１に記載の紙幣処理管理サーバの表示方法。
【請求項５】
所定数の紙幣が含まれる包装束を取込む取込み装置と、前記取込み装置が取り込んだ前記包装束内の紙幣が正券であるか否かを判定する紙幣処理装置と、前記正券と判定された紙幣から前記包装束を作成する作成装置とを管理する紙幣処理管理サーバであって、
前記正券と判定された正券枚数を取得し、前記包装束に含まれる正券枚数を予測し、前記取得した正券枚数と、前記予測した正券枚数と、前記包装束に含まれる紙幣数とに基づいて、前記正券を余すことなく所定数の前記包装束を作成するために前記取込み装置に取り込む包装束数を算出し、算出した前記包装束数を表示する制御部を備える、
紙幣処理管理サーバ。
【発明の詳細な説明】
【技術分野】
【０００１】
本発明の実施形は、紙幣処理管理サーバの表示方法、および紙幣処理管理サーバに関する。
【背景技術】
【０００２】
規模の大きな紙幣処理局に設けられる紙幣処理システムでは、多量の紙幣に対して処理を行う必要があり、例えば、以下のような処理を行っている。まず、オペレータによりビニールラップ等で複数の紙幣の束が包装された複数の包装束が順番に包装されたまま紙幣処理システム投入される。すると、紙幣処理システムは、包装束のビニールラップを剥がし、さらに紙幣の束の施封をはずして紙幣を一枚ずつばらばらにした後、各紙幣に対して、紙幣の状態の判別処理を行い、汚れている等の状態が判別された紙幣を排除し、綺麗な状態である紙幣（以下、「正券」という。）のみで帯束をつけて施封し、このような紙幣の束を所定数まとめてビニールラップで包装して包装束を作成し、複数の包装束を作成する処理を行う。
【０００３】
このとき、正券でない券は排除する処理が行われるので投入された包装束と一対一で処理後の包装束が作成されるわけではない。このため、一定数の紙幣の束や紙幣を包装束に含めることができずに余ってしまう事態が生じる。
なお、紙幣処理に関する技術として、正損レベルを示す画面を表示させ、画面の表示中の操作に基づいて、正損レベルを設定する制御手段を備えた紙葉類処理装置が知られている。
【先行技術文献】
【特許文献】
【０００４】
【特許文献１】特開２０１３−６９０３９号公報
【発明の概要】
【発明が解決しようとする課題】
【０００５】
上記のように包装束に包装することができずに余った紙幣の束や紙幣（以下、「余り紙幣」という。）は、オペレータにより専用の容器に入れられ保管される。余り紙幣を保管する作業は、単純に余り紙幣を専用の容器に入れて保管すればよいだけではなく、オペレータは、余り紙幣の数を調べ、ＰＣ（パーソナルコンピュータ）を操作して所定のサーバと通信を行い、その数を登録する等の処理を行う必要がある。このような特別な処理が終了しないと余り紙幣が未処理になってしまうため、業務を終了させることができない。このため、余り紙幣を管理する必要がありオペレータにとって手間のかかる作業になっていた。
【０００６】
本発明が解決しようとする課題は、業務終了時に余り紙幣の発生を防止することができる紙幣処理管理サーバの表示方法、および紙幣処理管理サーバを提供することを目的とする。
【課題を解決するための手段】
【０００７】
一実施形態に係る、紙幣処理管理サーバは、取込み装置と、紙幣処理装置と、作成装置とを管理する。取込み装置は、所定数の紙幣が含まれる包装束を取込む。紙幣処理装置は、前記取込み装置が取り込んだ前記包装束内の紙幣が正券であるか否かを判定する。作成装置は、前記正券と判定された紙幣から前記包装束を作成する。また、紙幣処理管理サーバは、前記正券と判定された正券枚数を取得し、前記包装束に含まれる正券枚数を予測し、前記取得した正券枚数と、前記予測した正券枚数と、前記包装束に含まれる紙幣数とに基づいて、前記正券を余すことなく所定数の前記包装束を作成するために前記取込み装置に取り込む包装束数を算出し、算出した前記包装束数を表示する。
【図面の簡単な説明】
【０００８】
【図１】本発明の実施形態に係る紙幣処理システムの概略的な構成の一例を示す図。
【図２】同実施形態に係るサーバ、アンラッピング装置、紙幣処理装置、ラッピング装置の概略的な構成の一例を示すブロック図。
【図３】同実施形態に係る損券レベルデータの構成の一例を示す図。
【図４】同実施形態に係る損券レベルデータの更新処理の一例を示すフローチャート。
【図５】同実施形態に係る包装束数をサーバに出力する処理の一例を示すフローチャート。
【図６】同実施形態に係る正券枚数をサーバに出力する処理の一例を示すフローチャート。
【図７】同実施形態に係る投入包装束数を表示する処理の一例を示すフローチャート。
【図８】同実施形態に係る包装束数を算出する処理の一例を示すサブフローチャート。
【図９】同実施形態の変形例に係る表示処理の一例を示すフローチャート。
【発明を実施するための形態】
【０００９】
以下、図面を参照して実施形態を説明する。  
図１は、紙幣処理システム１の概略的な構成の一例を示す図である。  
図１に示すように、紙幣処理システム１は、紙幣を処理するシステムであり、サーバ（紙幣処理管理サーバ）１０、アンラッピング装置（取込み装置）２０、紙幣処理装置３０、ラッピング装置（作成装置）４０を含み、アンラッピング装置２０、紙幣処理装置３０、ラッピング装置４０はそれぞれネットワークＮを介してサーバ１０に接続されている。ネットワークＮは、例えば、ローカル・エリア・ネットワーク（ＬＡＮ）である。
【００１０】
また、アンラッピング装置２０の紙幣の排出口（図示省略）と紙幣処理装置３０の紙幣の投入口（図示省略）は搬送路ＴＲ１により接続されており、紙幣処理装置３０の紙幣の排出口（図示省略）とラッピング装置４０の紙幣の投入口は（図示省略）搬送路ＴＲ２により接続されている。
【００１１】
紙幣処理システム１では次の処理が実行される。ビニールラップ（例えば、樹脂製）で包装された複数の包装束ＰＡが包装されたまま順次オペレータにより紙幣処理システム１に投入されると、アンラッピング装置２０は、包装束ＰＡのビニールラップを剥がし、大束ＰＢを１つずつ紙幣処理装置３０へ搬送路ＴＲ１を介して搬送する。紙幣処理装置３０は、大束ＰＢ、小束の施封をはずして紙幣を一枚ずつにした後、各紙幣Ｐに対して、紙幣Ｐの状態の判別処理を行い、汚れている等の状態が判別された紙幣Ｐを排除し、綺麗な状態である紙幣（以下、「正券」という。）Ｐのみで施封をして小束、および大束ＰＢを作り、大束ＰＢをラッピング装置４０へ搬送路ＴＲ２を介して搬送する。ラッピング装置４０は、所定数の大束ＰＢをビニールラップで包装することにより包装束ＰＡを作成し、複数の包装束ＰＡを作成する処理を行う。
【００１２】
なお、本実施形態では、小束は紙幣Ｐ１００枚からなり、大束ＰＢは小束１０個からなり、包装束ＰＡは大束１０個からなる。また、小束は紙幣の短手方向に施封がされており、大束ＰＢは紙幣の短手方向、および長手方向に施封がされており、包装束ＰＡは既述のようにビニールでラッピングされる。
【００１３】
次に、サーバ１０、アンラッピング装置２０、紙幣処理装置３０、ラッピング装置４０の構成ついて説明する。図２は、サーバ１０、アンラッピング装置２０、紙幣処理装置３０、ラッピング装置４０の概略的な構成の一例を示すブロック図である。
【００１４】
サーバ１０は、紙幣処理システム１全体を管理する。
サーバ１０は、図２に示すように、制御部１１、操作部１２、表示部１３、記憶部１４を備えており、制御部１１に、操作部１２、表示部１３、記憶部１４が電気的に接続されている。制御部１１は、ＣＰＵ１１ａ、およびメモリ１１ｂを含む。ＣＰＵ１１ａは、メモリ１１ｂに記憶されたプログラムやデータを用いてネットワークＮを介して紙幣処理システム１の紙幣処理全体を管理する制御を実行すると共に、サーバ１０内の各装置を制御する処理を実行する。メモリ１１ｂは、種々のデータ、制御プログラム、および管理情報等を格納する。操作部１２は、例えばキーボードやマウス等の入力装置であり、オペレータがサーバ１０に対して指示を行う入力装置である。表示部１３は、例えば、液晶ディスプレイである。表示部１３は、オペレータの操作部１２に対する指示に応じて所定の情報をオペレータに表示する。なお、操作部１２と表示部１３とは、一体的に構成されていてもよい。記憶部１４は、例えば、ＨＤＤ（ハード・ディスク・ドライブ）やＳＳＤ（ソリッド・ステート・ドライブ）である。記憶部１４は、紙幣処理システム１の紙幣処理に関するデータ全般を記憶する。本実施形態では、記憶部１４は、業務データ記憶部１５と、損券レベルデータ記憶部１６とを含む。業務データ記憶部１５は、紙幣処理システム１で行った紙幣処理のデータ全般を記憶する。例えば、日時、処理した券種、取込んだ枚数、正券の枚数、損券の場合は当該損券の画像データ等の情報を全て記憶する。損券レベルデータ記憶部１６は、損券レベルデータを記憶する。損券レベルデータに関しては、図３を参照して後述する。
【００１５】
アンラッピング装置２０は、包装束ＰＡからラッピングを剥がし、大束ＰＢを１つずつ搬送路ＴＲ１を介して紙幣処理装置３０へ搬送する装置である。
アンラッピング装置２０は、図２示すように、制御部２１、搬送部２２、アンラッピング部２３、検出部２４を含み、制御部１１に、搬送部２２、アンラッピング部２３、検出部２４が電気的に接続されている。制御部２１は、ＣＰＵ２１ａ、およびメモリ２１ｂを含む。ＣＰＵ２１ａは、メモリ２１ｂに記憶されたプログラムやデータを用いて包装束ＰＡからラッピングを剥がし、大束ＰＢを１つずつ搬送路ＴＲ１を介して紙幣処理装置３０へ搬送する制御をする共に、ネットワークＮを介したサーバ１０との通信の制御を実行する。メモリ２１ｂは、種々のデータ、制御プログラム、および管理情報等を格納する。搬送部２２は、複数のローラやベルト等の包装束ＰＡ、大束ＰＢを搬送する機構（図示省略）を備え、オペレータにより投入される包装束ＰＡを搬送すると共に、包装束ＰＡからラッピングが剥がされて分離された大束ＰＢを１つずつ搬送路ＴＲ１へ搬送する。アンラッピング部２３は、包装束ＰＡに包装されているラッピングを剥がす機構を備える。検出部２４は、包装束ＰＡの投入口（図示省略）近傍に設けられる。また、検出部２４は例えば、発光部、受光部を有する光学センサ（図示省略）を有しており、光学センサの検出結果に基づいてオペレータにより投入口に投入された包装束ＰＡを検出し、当該検出結果を制御部２１に出力する。
【００１６】
紙幣処理装置３０は、紙幣Ｐが正券であるか否かを鑑査（検査）する装置である。  
紙幣処理装置３０は、図２に示すように、制御部３１、搬送部３２、開封部３３、鑑査部３４、裁断部３５、施封部３６を含み、制御部３１に、搬送部３２、開封部３３、鑑査部３４、裁断部３５、施封部３６が電気的に接続されている。制御部３１は、ＣＰＵ３１ａ、およびメモリ３１ｂを含む。ＣＰＵ３１ａは、メモリ３１ｂに記憶されたプログラムやデータを用いて紙幣Ｐに対して検査する処理を行い紙幣が正券であるか否かを鑑査する処理全体の制御を実行する共に、ネットワークＮを介したサーバ１０との通信の制御を実行する。メモリ３１ｂは、種々のデータ、制御プログラム、および管理情報等を格納する。搬送部３２は、複数のローラやベルト等の大束ＰＢ、小束、紙幣を搬送する機構（図示省略）を備え、アンラッピング装置２０から搬送路ＴＲ１を介して搬送される大束ＰＢ、大束ＰＢから分離された小束、紙幣Ｐ、および正券と判定された紙幣Ｐからなる小束、大束ＰＢを搬送路ＴＲ２を介してラッピング装置４０へ搬送する。開封部３３は、大束ＰＢ、小束の施封を解除する機構（図示省略）を備え、搬送部３２を搬送される大束ＰＢや小束の施封を解除し、大束ＰＢから小束、小束から各紙幣Ｐに分離する。鑑査部３４は、搬送部３２を搬送される紙幣Ｐに対して、例えば、所定のセンサを用いて画像データを読み取り、印刷品質等の検査（演算）を実行することにより、紙幣Ｐに汚れ等があるか否か等を検査し、汚れ等がない場合は当該紙幣Ｐを正券と判定し、汚れ等がある場合は当該紙幣を損券と判定する鑑査を実行する。裁断部３５は、紙幣Ｐを裁断する機構（図示省略）を備え、損券と判定された紙幣Ｐを裁断する。施封部３６は、小束、および大束ＰＢを施封する機構（図示省略）を備え、正券と判定された紙幣Ｐが１００枚集積されると、当該１００枚を短手方向に沿うように施封して小束を作成し、小束が１０個集積されると、当該１０個の小束を短手方向、および長手方向に施封し、大束ＰＢを作成する。
【００１７】
ラッピング装置４０は、紙幣処理装置３０から搬送路ＴＲ２を介して搬送される大束ＰＢを１０個集めてラッピングをし、包装束ＰＡを作成する装置である。
ラッピング装置４０は、図２に示すように、制御部４１、搬送部２２、ラッピング部４３を含み、制御部４１に、搬送部４２、ラッピング部４３が接続されている。制御部４１は、ＣＰＵ４１ａ、およびメモリ４１ｂを含む。ＣＰＵ４１ａは、メモリ４１ｂに記憶されたプログラムやデータを用いて紙幣処理装置３０から搬送路ＴＲ２を介して搬送される大束ＰＢを１０個集めてラッピングをし、包装束ＰＡを作成する処理を実行すると共に、ネットワークＮを介したサーバ１０との通信の制御を実行する。メモリ４１ｂは、種々のデータ、制御プログラム、および管理情報等を格納する。搬送部４２は、複数のローラやベルト等の大束ＰＢ、包装束ＰＡを搬送する機構（図示省略）を備え、紙幣処理装置３０から搬送路ＴＲ２を介して搬送された大束ＰＢを所定位置まで搬送すると共に、ラッピングされた包装束ＰＡをオペレータが当該包装束ＰＡを取り出す所定位置へ搬送する。ラッピング部４３は、所定配列（例えば、２行５列）に配列された１０個の大束にラッピングを施すラッピング機構を備え、紙幣処理装置３０から搬送路ＴＲ２を介して搬送される大束ＰＢを１０個所定配列した後、当該１０個にラッピングを施し、包装束ＰＡを作成する。
【００１８】
図３は、損券レベルデータ記憶部１６に記憶される損券レベルデータの構成の一例を示す図である。
図３に示すように、損券レベルデータは、日付、券種、損券レベル、正券枚数、投入枚数が関連づけて構成される。日付は、損券レベルを更新した日付が記憶される。券種は、紙幣Ｐの種類である。損券レベルは、損券の発生するレベルである。例えば、損券の発生率に基づいて予めレベルが規定されており、当該発生率に応じたレベルが損券レベルとして設定される。正券枚数は、所定日に券種毎に正券と判定された枚数である。投入枚数は、紙幣処理システム１に投入された券種毎の紙幣Ｐの枚数である。図３には、２０１８年４月１日（日付）、券種１（券種）、レベル１０（損券レベル）、６２，５０００（正券枚数）、および７００，０００（投入枚数）が関連づけて記憶されている状態を一例として示している。
【００１９】
次に、サーバ１０の損券レベルデータの更新処理について説明する。図４は、損券レベルデータの更新処理の一例を示すフローチャートである。
図４に示すように、サーバ１０の制御部１１は、損券レベルの更新指示を取得する（ＳＴ１０１）。制御部１１は、更新指示を操作部１２を介して所定の指示がオペレータによりされた場合に当該更新処理を実行するようにしてもよいし、紙幣処理システム１を用いる業務の終了後に自動的に当該更新処理を実行するようにしてもよい。さらに、紙幣処理システム１で券種毎の処理が終了したタイミングで所定の指示により、又は、自動的に当該更新処理を実行するようにしてもよい。本実施形態では、紙幣処理システム１の業務終了後に、自動的に損券レベルデータが更新されることとする。
【００２０】
次に、制御部１１は、損券レベルの算出処理を実行する（ＳＴ１０２）。業務が終了すると、制御部１１は、当該日に紙幣処理システム１で処理した紙幣Ｐの券種毎に、正券枚数と、取込み枚数とを業務データ記憶部１５からメモリ１１ｂ上に取得し、正券枚数と取込み枚数とから損券枚数を算出する。そして、制御部１１は、その損券枚数と取込み枚数とから損券率を算出した後、予め規定されたレベルに基づいて、損券レベルを算出する。
【００２１】
次に、制御部１１は、損券レベルを更新する（ＳＴ１０３）。本実施形態では、制御部１１は、既述のステップＳＴ１０２の処理によりメモリ１１ｂ上に記憶している、日付、券種、損券レベル、正券枚数、および取込み枚数を損券レベルデータ記憶部１６の対応する券種の損券レベルデータに上書きする。これにより、業務を行った券種すべての損券レベルデータが更新される。なお、本実施形態では、損券レベルが自動的又はオペレータの指示により更新される場合で説明したが、これに限るものではない。例えば、損券レベル（紙幣の汚れ度合いの基準）として、レベル１から１０（レベルが低い方が紙幣の汚れ度合いが大きい場合に設定される。レベル１＞レベル２，…，レベル９＞レベル１０）を予め準備しておき、操作者が、紙幣の汚れ具合等に応じて、紙幣処理システム１を作動させる前に、損券レベルとしていずれかのレベルを設定した後、紙幣処理システム１を作動させるようにしてもよい。このように構成した場合、操作者が目視に基づいて損券レベルを設定することが可能になる。具体的には、操作者が、今日これから処理する紙幣は汚れが酷いことを確認した場合、損券レベルを下げてから紙幣処理システム１を作動させることが可能になる。
【００２２】
次に、紙幣処理システム１が取り込んだ包装束数をサーバ１０に出力する処理について説明する。図５は、アンラッピング装置２０が取り込んだ包装束数をサーバ１０に出力する処理の一例を示すフローチャートである。
図５に示すように、まず、アンラッピング装置２０の制御部２１は、包装束ＰＡが取り込まれたか否かを判定する（ＳＴ２０１）。制御部２１は、検出部２４からの信号に基づいて、包装束ＰＡがアンラッピング装置２０に取り込まれたか否かを判定する。このとき、オペレータの操作により、どの券種の処理を行うかがサーバ１０の操作部１２から指定されていることとする。包装束ＰＡが取り込まれていないと判定した場合（ＳＴ２０１：ＮＯ）、制御部２１は待機状態を継続する。
【００２３】
次に、一方、包装束ＰＡが取り込まれたと判定した場合（ＳＴ２０１：ＹＥＳ）、制御部２１は、メモリ２１ｂに保持している取込み数をインクリメントする（ＳＴ２０２）。つまり、設定されている券種の包装束ＰＡの取込み数を１増加する。そして、制御部２１は、取込み数をサーバ１０へ出力する（ＳＴ２０３）。これにより、サーバ１０は、ネットワークＮを介して当該券種の包装束ＰＡの取込み数を取得することができる。１つの包装束ＰＡは、紙幣Ｐが１０，０００枚集まって構成されているため、包装束ＰＡの取込み数をリアルタイムで取得することにより、紙幣処理システム１に取り込んだ紙幣Ｐの取込み枚数もリアルタイムで把握することが可能になる。
【００２４】
次に、正券枚数をサーバ１０に出力する処理について説明する。図６は、紙幣処理装置３０が正券枚数をサーバ１０に出力する処理の一例を示すフローチャートである。
紙幣処理装置３０の鑑査部３４は、搬送部３２を１枚ずつ搬送される紙幣Ｐが正券か否かを検査し、その検査結果を制御部３１に出力する。そして、図６に示すように、制御部３１は、鑑査部３４の検査結果に基づいて、紙幣Ｐが正券であるか否かを判定する（ＳＴ３０１）。
【００２５】
紙幣Ｐが正券であると判定した場合（ＳＴ３０１：ＹＥＳ）、制御部３１は、メモリ３１ｂに保持している正券枚数をインクリメントし（ＳＴ３０２）、インクリメントした正券枚数をサーバ１０へ出力する（ＳＴ３０３）。これにより、サーバ１０は、ネットワークＮを介して紙幣処理装置３０から正券枚数を受信する。このため、サーバ１０は、処理している券種の正券枚数をリアルタイムで把握することが可能になる。
【００２６】
一方、紙幣Ｐが正券でないと判定した場合（ＳＴ３０１：ＮＯ）、制御部３１は、紙幣Ｐの画像データを記憶する（ＳＴ３０４）。画像データを記憶するのは、紙幣Ｐが正券でない場合、紙幣Ｐは損券として裁断部３５へ搬送され、裁断部３５で裁断されるため、後でオペレータによる確認等ができるように損券の画像データを記憶しておくことが望ましいからである。画像データの記憶先は、紙幣処理装置３０内の記憶装置（図示省略）でもよい。また、ネットワークＮを介してサーバ１０へ画像データを出力し、サーバ１０の業務データ記憶部１５に画像データを記憶するようにしてもよい。
【００２７】
正券枚数をサーバ１０へ出力した場合（ＳＴ３０３）、または、紙幣Ｐの画像データを記憶した場合（ＳＴ３０４）、制御部３１は、処理終了か否かを判定する（ＳＴ３０５）。制御部３１は、取込まれた紙幣全てに対して鑑査処理を行ったか否かに基づいて、処理終了か否かを判定する。例えば、制御部３１は、紙幣処理システム１に取込んだ紙幣Ｐの枚数をサーバ１０またはアンラッピング装置２０から取得し、この取得した紙幣Ｐの枚数と、鑑査部３４で検査を行った紙幣Ｐの枚数とを比較して当該判定を実行すればよい。処理終了でないと判定した場合（ＳＴ３０５：ＮＯ）、処理はステップＳＴ３０１へ戻り、次に搬送される紙幣Ｐに対して既述の処理が実行される。一方、処理終了であると判定した場合（ＳＴ３０５：ＹＥＳ）、制御部３１は、この処理は終了する。
【００２８】
次に、包装束をあと何個投入すれば、余り紙幣を生じさせずに紙幣処理を終了することができるかを表示する処理について説明する。図７は、投入する投入包装束数を表示する処理の一例を示すフローチャートである。
図７に示すように、サーバ１０の制御部１１は、操作部１２を介してオペレータから投入包装束表示指示を受けたか否かを判定する（ＳＴ４０１）。当該表示指示を受けていないと判定した場合（ＳＴ４０１：ＮＯ）、制御部１１は、待機状態を継続する。一方、当該表示指示を受けたと判定した場合（ＳＴ４０１：ＹＥＳ）、制御部１１は、アンラッピング装置２０からネットワークＮを介して受信する包装束の取込み数（包装束数）から取り込んだ紙幣数を算出する（ＳＴ４０２）。本実施形態では、取込んだ包装束数×１０，０００枚で算出することができる。次に、制御部１１は、紙幣処理装置３０からネットワークＮを介して受信した紙幣Ｐの正券枚数を取得する（ＳＴ４０３）。このステップＳＴ４０２，ＳＴ４０３の処理により、紙幣Ｐの取込み枚数、および正券枚数がメモリ１１ｂ上に記憶される。
【００２９】
次に、制御部１１は、投入する包装束数を算出する（ＳＴ４０４）。包装束数を算出する処理の一例を図８のサブフローチャートを参照しながら説明する。
図８に示すように、制御部１１は、まず、過去のデータから正券率を算出する（ＳＴ５０１）。具体的には、制御部１１は、損券レベルデータ記憶部１６から現在処理している紙幣Ｐと同じ券種の損券レベルデータ（正券枚数および取込み枚数）を取得し、（正券枚数）／（取込み枚数）により正券率を算出する。なお、本実施形態では、券種毎に損券レベルが設定されているため（参照：図３）、その損券レベルに応じて予め設定された正券率を用いるようにしてもよい。
【００３０】
次に、制御部１１は、包装束内の正券枚数を予測した予測正券枚数を算出する（ＳＴ５０２）。例えば、制御部１１は、（包装束ＰＡ）×（正券率）により予測正券枚数を算出することができる。
次に、紙幣処理装置３０内の現在正券枚数を取得する（ＳＴ５０３）。現在正券枚数は、より詳細には、現在、包装束ＰＡを作成するために紙幣処理装置３０内の所定位置に集積されている紙幣Ｐの数である。制御部１１は、例えば、メモリ１１ｂ上に記憶している正券枚数の総数の下４桁の数を現在正券枚数とすることができる。
【００３１】
次に、制御部１１は、投入包装束数を算出する（Ｔ５０４）。制御部１１は、例えば、以下の（１）式により、投入包装束数を求める。
（予測正券枚数）Ｘ＋現在正券枚数＝１００００Ｘ…（１）
Ｘ：投入包装束数
具体的な一例をあげて説明すると、例えば、正券率が９０％であれば、包装束ＰＡに含まれる予測正券枚数は、９０００枚になる。また、現在正券枚数が４０００枚であるとする。
この場合、（１）式に当てはめると、９０００Ｘ＋４０００＝１００００Ｘとなり、Ｘ＝４となる。このため、投入すべき包装束ＰＡは、４個であると算出できる。
【００３２】
ここで、図７に戻り説明を続ける。既述のステップＳＴ４０４の処理により投入包装束数が算出されるため、制御部１１は、投入包装束数、より詳細には、あと包装束ＰＡを何個投入すると、紙幣Ｐの余りを出さないようにすることができる旨を表示部１３に表示する（ＳＴ４０５）。既述の一例の場合は、投入包装束数は、４個である旨が表示部１３に表示される。この表示を確認したオペレータは、４個の包装束ＰＡを紙幣処理システム１に追加投入する。これにより、紙幣処理システム１は、投入した全ての紙幣Ｐのうちから正券と判定された紙幣Ｐを全て利用して包装束ＰＡを作成することが可能になる。
【００３３】
以上のように構成されたサーバ１０によると、包装束ＰＡに含まれる正券枚数を予測し、紙幣処理装置３０から取得した正券枚数と、その予測した正券枚数と、包装束ＰＡに含まれる紙幣数とに基づいて、正券を余すことなく所定数の包装束ＰＡを作成するためにアンラッピング装置２０に取り込む包装束数を算出し、算出した包装束数を表示部１３に表示することができる。
【００３４】
このため、オペレータが算出した個数の包装束ＰＡをアンラッピング装置２０に投入することにより、正券を余すことなく包装束ＰＡを作成し、余り紙幣の発生を防止することができる。よって、オペレータは、業務終了時に余り紙幣を管理する作業を実施する必要がなく、手間を省くことができる。
【００３５】
なお、上記実施形態では、包装束ＰＡに含まれる正券枚数を、損券レベルデータ記憶部１６に記憶されている損券レベルデータを用いて予測しているが、正券枚数の予測方法はこれに限るものではない。例えば、当日の鑑査部３４で紙幣Ｐを検査した検査枚数をサーバ１０が紙幣処理装置３０から取得し、この取得した検査枚数と、既述の鑑査部３４から取得する正券の枚数とから、正券率を求め、当該正券率を用いて包装束ＰＡ内の予測正券枚数を求めるようにしてもよい。
【００３６】
また、上記実施形態では、オペレータから操作部１２を介して表示指示があった場合に、投入包装束数を表示する場合で説明したが、表示方法はこれに限るものではない。例えば、紙幣処理システム１を用いて業務を行う業務時間が定められている場合は、サーバ１０は、次のような表示を行ってもよい。まず、サーバ１０に紙幣処理システム１で業務を行う業務時間を予め設定すると共に、包装束ＰＡを１つ紙幣処理システム１で処理する時間を予め設定する。そして、既述のように投入包装束数が算出されると、図９に示すように、サーバ１０の制御部１１は、当該算出した投入包装束数と包装束ＰＡ１つを処理する時間とから処理時間を算出し（ＳＴ６０１）、現在時刻に算出した処理時間を加算した処理終了時刻を算出し（ＳＴ６０２）、その処理終了時刻が業務時間外であるか否かを判定する（ＳＴ６０３）。
【００３７】
そして、制御部１１は、業務時間外でないと判定した場合（ＳＴ６０３：ＮＯ）、既述のステップＳＴ４０５の処理と同様に、算出した包装束数を表示部１３に表示する処理を実行し（ＳＴ６０５）、業務時間外であると判定した場合（ＳＴ６０３：ＹＥＳ）、算出した包装束数を表示部１３に表示する処理にかえて、または、算出した包装束数を表示部１３に表示する処理と共に、算出した包装束数を実行すると業務終了が業務時間外になってしまう旨を表示するようにしてもよい（ＳＴ６０４）。これにより、オペレータは、業務時間との兼ね合いで投入する包装束ＰＡの数を調整することが可能になる。
【００３８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１…紙幣処理システム、１０…サーバ、１１…制御部、１２…操作部、１３…表示部、１４…記憶部、１５…業務データ記憶部、１６…損券レベルデータ記憶部、２０…アンラッピング装置、３０…紙幣処理装置、４０…ラッピング装置
【図１】
2019204252.tif 000003
【図２】
2019204252.tif 000004
【図３】
2019204252.tif 000005
【図４】
2019204252.tif 000006
【図５】
2019204252.tif 000007
【図６】
2019204252.tif 000008
【図７】
2019204252.tif 000009
【図８】
2019204252.tif 000010
【図９】
2019204252.tif 000011